(57)【特許請求の範囲】
【請求項１】
音声符号化器およびＦＡＸ復調器を有し、入力音声信号を受けて出力符号化データを出力する符号化部と、音声復号化器およびＦＡＸ変調器を有し、入力符号化データを受けて出力音声信号を出力する復号化部とを含み、Ｖ．３４変調方式のＦＡＸ端末同士の通信を行うＦＡＸ対応音声ＣＯＤＥＣにおいて、
前記符号化部は、応答ＦＡＸから出力されるＩＴＵ−Ｔ  Ｖ．８勧告に規定されているＡＮＳａｍ信号を検出するＡＮＳａｍ信号検出器を設け、該ＡＮＳａｍ信号検出器が前記ＡＮＳａｍ信号を検出すると、前記復号化部の前記音声復号化器をミュートすることを特徴とするＦＡＸ対応音声ＣＯＤＥＣ。
【請求項２】
前記符号化部は、前記音声符号化器および前記ＡＮＳａｍ信号検出器の出力を選択する第１セレクタと、該第１セレクタおよび前記ＦＡＸ復調器の出力を選択して前記出力符号化データを出力する第２セレクタとを備え、前記復号化部は、前記入力符号化データを受けＩＴＵ−Ｔ  Ｔ．３０勧告に規定されているＣＥＤ信号を発生するＣＥＤ信号発生器と、該ＣＥＤ信号発生器および前記音声復号化器の出力を選択する第３セレクタと、該第３セレクタおよび前記ＦＡＸ変調器の出力を選択して前記出力音声信号を出力するする第４セレクタとを備えることを特徴とする請求項１に記載のＦＡＸ対応音声ＣＯＤＥＣ。
【請求項３】
前記復号化部の前記音声復号化器は、前記ＡＮＳａｍ信号検出器が検出したＡＮＳａｍ信号によりミュートすることを特徴とする請求項２に記載のＦＡＸ対応音声ＣＯＤＥＣ。
【請求項４】
前記入力音声信号は、前記音声符号化器、ＦＡＸ復調器および前記ＡＮＳａｍ信号検出器に入力されることを特徴とする請求項１、２又は３に記載のＦＡＸ対応音声ＣＯＤＥＣ。
【請求項５】
それぞれ送信ＦＡＸ端末および受信ＦＡＸ端末に対応して設けられることを特徴とする請求項１乃至４のいずれかに記載のＦＡＸ対応音声ＣＯＤＥＣ。
【発明の詳細な説明】
【０００１】
【発明の属する技術分野】
本発明はＦＡＸ対応音声ＣＯＤＥＣ（符号器／復号器）、特にＶ．３４変調方式に対応したＧ３規格ＦＡＸ端末同士の通信でも、従来通りのＶ．１７変調方式に対応した通信を可能にするＦＡＸ対応音声ＣＯＤＥＣに関する。
【０００２】
【従来の技術】
斯かる技術に関する従来技術は、例えば特開平５−３７６７４号公報の「電話音声・低速モデム・ファクシミリ信号用符号・復号器」（以下、従来技術（１）という）および特開平１１−２０５４８５号公報の「モデム信号対応符号化復号化装置」（以下、従来技術（２）という）に開示されている。
【０００３】
上述した従来技術（１）では、符号化側に低速モデム検出器、信号レベル検出器、ＦＡＸ画像検出器、低速モデム符号化器、音声符号化器およびＦＡＸ画像符号化器を備える。更に、低速モデム符号化器、音声符号化器およびＦＡＸ画像符号化器のいずれかの出力を選択する選択器を備える。低速モデム検出器、信号レベル検出器およびＦＡＸ画像検出器の検出結果に基づいて、低速モデム符号化器、音声符号化器およびＦＡＸ画像符号化器のいずれかを選択器に選択させる管理部を備える。また、復号化側に低速モデム復号化器、音声復号化器およびＦＡＸ画像復号化器を備える。更に、符号化側の管理部からの符号化器選択信号を受けて、低速モデム復号化器、音声復号化器およびＦＡＸ画像復号化器のいずれかを選択する選択器を備える。
【０００４】
このような構成の従来技術（１）において、符号化側では入力信号を低速モデム検出器、信号レベル検出器およびＦＡＸ画像検出器で検出し、低速モデム符号化器、音声符号化器およびＦＡＸ画像符号化器に入力する。また、上述した各検出器の検出結果により、各符号化器出力を符号化データとして出力する。復号化側では、符号化側の管理部からの符号化器選択信号を受けて該当する復号化器出力を出力信号として音声信号およびＦＡＸ信号の通信を実現している。しかし、この従来技術では、音声信号の場合には３２ｋｂｐｓ又は２４ｋｂｐｓに帯域圧縮が可能であるが、ＦＡＸ画像符号化・復号化器は、６４ｋｂｐｓ固定レートの符号化方式である。従って、ＦＡＸ通信の場合には６４ｋｂｐｓの帯域を必要とするため、高能率音声ＣＯＤＥＣには使用できない。
【０００５】
一方、上述した従来技術（２）では、符号化側は非音声信号検出器、切替器および音声符号化器を、復号化側は音声復号化器および切替器から構成されている。斯かる構成の従来技術（２）では、符号化側で非音声信号検出器が入力信号を音声信号と判断すると、非音声信号検出器から出力される回線選択信号により切替器を切り替えて、音声符号化器に入力させ、符号化した符号化音声データを出力データとする。そして、復号化側の音声復号化器に入力し、復号化後音声信号として出力する。一方、非音声信号検出器が入力信号を非音声信号と判断すると、回線選択信号により符号化／復号化せず、非音声信号として出力する。しかし、この従来技術（２）では、音声信号の場合であれば音声符号化器により帯域圧縮が可能であるが、非音声信号であるＦＡＸ通信の場合には６４ｋｂｐｓの帯域を必要とするため、高能率音声ＣＯＤＥＣには使用できない。
【０００６】
また、他の従来技術として、音声符号化器／復号化器の他にＧ３ＦＡＸ復調器／変調器を内蔵するものがある。そして、ＦＡＸ信号が入力された場合には、Ｇ３ＦＡＸ復調器でデジタルデータに変換した後デジタルデータ回線に出力し、対向先で再度Ｇ３ＦＡＸ信号に変調しＦＡＸ信号として出力する。これにより、ＩＴＵ−Ｔ  Ｔ．３０勧告の標準手順に準拠したＧ３ＦＡＸ通信を可能とする。また、この従来技術ではＦＡＸの画像信号も復調／変調するため、１６ｋｂｐｓの音声ＣＯＤＥＣでも１４．４ｋｂｐｓ（ＩＴＵ−Ｔ  Ｖ．１７勧告）までの通信が可能である。しかし、近年ＩＴＵ−Ｔ  Ｖ．３４勧告の変調方式を採用したＳｕｐｅｒＧ３ＦＡＸ通信が勧告された。この勧告では、Ｖ．３４変調方式を採用することで３３．６ｋｂｐｓまでの通信速度を保証しているが、従来とは違うＩＴＵ−Ｔ  Ｖ．８勧告に従ったネゴシエーションが採用されたため、従来技術の高能率音声ＣＯＤＥＣではＦＡＸ信号の検出ができず、通信異常となる。
【０００７】
図７は、ＦＡＸ対応音声ＣＯＤＥＣの従来例のブロック図を示す。このＦＡＸ対応音声ＣＯＤＥＣ５０は、音声符号化器１１０、Ｇ３ＦＡＸ復調器１１１およびセレクタ１１２を含む符号化部と、音声復号化器１１３、Ｇ３ＦＡＸ変調器１１４およびセレクタ１１５を含む復号化部とにより構成される。符号化部には、入力音声信号１０１が入力され、出力符号化データ１０３を出力する。また、復号化部には、入力符号化データ１０４が入力され、出力音声信号１０２を出力する。また、図８は、図７に示すＦＡＸ対応音声ＣＯＤＥＣ５０の通信手順を示す。図８中には、１対のＦＡＸ端末、即ち送信ＦＡＸ端末および受信ＦＡＸ端末と対応する音声ＣＯＤＥＣ間での通信手順を示す。ＣＥＤ信号の伝送までは、音声符号化器１１０／復号化器１１３により行なわれ、ＤＩＳ信号からＤＣＮ信号まではＧ３ＦＡＸ復調器１１１／変調器１１４により行なわれる。更に、図６は、Ｖ．３４変調方式に対応したＧ３ＦＡＸ端末同士（即ち、発呼ＦＡＸ端末および応答ＦＡＸ端末）の通信手順を示す。図８の通信手順と比較すると明らかな如く、両者は相当異なり、従来技術ではＧ３ＦＡＸ信号の検出ができないため、音声符号化器／復号化器での通信となり、通信異常となってしまう。
【０００８】
【発明が解決しようとする課題】
上述した従来技術には、次の如き幾つかの解決するべき課題がある。第１に、高能率ＦＡＸ対応音声ＣＯＤＥＣには使用できない（従来技術（１）および（２））。その理由は、入力信号が音声信号の場合には音声符号化器／復号化器により帯域圧縮が可能であるが、非音声信号であるＦＡＸ通信の場合には６４ｋｂｐｓの帯域を必要とするためである。一般のＦＡＸ対応音声ＣＯＤＥＣを用いたトールダイヤルネットワークの場合には、伝送レートは音声ＣＯＤＥＣに合わせて固定レート(例えば、３２ｋｂｐｓ／１６ｋｂｐｓ／８ｋｂｐｓ)であり、ダイナミックに伝送レートを変更することができないためである。
【０００９】
第２に、従来のＦＡＸ対応音声ＣＯＤＥＣでは、Ｖ．３４変調方式に対応したＧ３ＦＡＸ端末同士の通信が通信異常となってしまう（上述した他の従来技術）。その理由は、Ｖ．３４変調方式を採用したので、従来の通信プロトコルとは違うＩＴＵ−Ｔ  Ｖ．８勧告の通信プロトコルが採用されたため、従来方式では通信プロトコルの解析ができず、音声ＣＯＤＥＣ経由でＶ．３４変調信号を伝送することになるためである。
【００１０】
【発明の目的】
本発明の目的は、Ｇ３ＦＡＸ通信に対応した高能率音声ＣＯＤＥＣにおいて、Ｖ．３４変調方式に対応したＦＡＸ端末同士の通信においても、通信異常となることなく従来方式での通信を可能とするＦＡＸ対応音声ＣＯＤＥＣを提供することである。
【００１１】
【課題を解決するための手段】
本発明のＦＡＸ対応音声ＣＯＤＥＣは、音声符号化器およびＦＡＸ復調器を有し、入力音声信号を受けて出力符号化データを出力する符号化部と、音声復号化器およびＦＡＸ変調器を有し、入力符号化データを受けて出力音声信号を出力する復号化部とを含み、Ｖ．３４変調方式のＦＡＸ端末同士の通信を行うＣＯＤＥＣであって、符号化部は、応答ＦＡＸ端末から出力されるＩＴＵ−Ｔ  Ｖ．８勧告に規定されているＡＮＳａｍ信号を検出するＡＮＳａｍ信号検出器を設け、このＡＮＳａｍ信号検出器がＡＮＳａｍ信号を検出すると復号化部の音声復号化器をミュートする。
【００１２】
また、本発明の好適実施形態例によると、符号化部は、音声符号化器およびＡＮＳａｍ信号検出器の出力を選択する第１セレクタと、この第１セレクタおよびＦＡＸ復調器の出力を選択し出力符号化データを得る第２セレクタとを備え、復号化部は、入力符号化データを受けＩＴＵ−Ｔ  Ｔ．３０勧告に規定されているＣＥＤ信号を発生するＣＥＤ信号発生器と、このＣＥＤ信号発生器および音声復号化器の出力を選択する第３セレクタと、この第３セレクタおよびＦＡＸ変調器の出力を選択して出力音声信号を出力する第４セレクタとを備える。また、復号化部の音声信号復号化器は、ＡＮＳａｍ信号検出器が検出したＡＮＳａｍ信号によりミュートする。入力音声信号は、符号化部の音声符号化器、ＦＡＸ復調器およびＡＮＳａｍ信号検出器に入力される。更に、ＦＡＸ対応音声ＣＯＤＥＣは、それぞれ送信ＦＡＸ端末および受信ＦＡＸ端末に対応して設けられる。
【００１３】
【発明の実施の形態】
以下、本発明によるＦＡＸ対応音声ＣＯＤＥＣの好適実施形態例の構成および動作を、添付図を参照して詳細に説明する。
【００１４】
先ず、図１は、本発明によるＦＡＸ対応音声ＣＯＤＥＣの好適実施形態例の構成を示すブロック図である。このＦＡＸ対応音声ＣＯＤＥＣ５は、符号化側にＡＮＳａｍ信号検出器１０、音声符号化器１１、Ｇ３ＦＡＸ復調器１２および音声符号化器１１又はＧ３ＦＡＸ復調器１２の出力を選択し出力符号化データ３として出力するセレクタ１３を有する。これらＡＮＳａｍ信号検出器１０、音声符号化器１１およびＧ３ＦＡＸ復調器１２には、入力音声信号１が入力される。一方、復号化側は、音声復号化器２１、Ｇ３ＦＡＸ変調器２２および音声復号化器２１又はＧ３ＦＡＸ変調器２２の出力を選択し出力音声信号２として出力するセレクタ２３を有する。音声復号化器２１およびＧ３ＦＡＸ変調器２２には、入力符号化データ４が入力される。
【００１５】
ここで、符号化部のＡＮＳａｍ信号検出器１０は、Ｖ．３４変調方式に対応した端末を識別するためのＡＮＳａｍ信号を検出する機能を有する。音声符号化器１１は、１６ｋｂｐｓ又は８ｋｂｐｓの音声符号化器であり、例えば１６ｋＬＤ−ＣＥＬＰおよび８ｋＣＳ−ＡＣＥＬＰ等である。Ｇ３ＦＡＸ復調器１２は、ＩＴＵ−Ｔ  Ｔ．３０勧告に準拠されたモデム信号を復調する復調器である。セレクタ１３は、Ｇ３ＦＡＸ復調器１２により制御され、入力音声信号１がＧ３ＦＡＸ信号の場合にはＧ３ＦＡＸ復調器１２の出力を、それ以外の場合には音声符号化器１１の出力を選択し、出力符号化データ３として出力する。
【００１６】
次に、復号化部の音声復号化器２１は、１６ｋｂｐｓ又は８ｋｂｐｓの音声復号化器であり、例えば１６ｋＬＤ−ＣＥＬＰおよび８ｋＣＳ−ＡＣＥＬＰ等である。Ｇ３ＦＡＸ変調器２２は、ＩＴＵ−Ｔ  Ｔ．３０勧告に準拠されたモデム信号を変調する変調器である。セレクタ２３は、Ｇ３ＦＡＸ変調器２２により制御され、入力符号化データ４がＧ３ＦＡＸ復調器１２からのデータの場合にはＧ３ＦＡＸ変調器２１の出力を、それ以外の場合には音声復号化器２１の出力を選択し、出力音声信号２として出力する。
【００１７】
入力音声信号１は、ＡＮＳａｍ信号検出器１０、音声符号化器１１およびＧ３ＦＡＸ復調器１２に入力される。しかし、入力音声信号１が音声信号の場合には、ＡＮＳａｍ信号検出器１０は非検出状態であり、Ｇ３ＦＡＸ復調器１２も非復調状態である。そのため、音声符号化器１１の出力が出力符号化データ３として出力されるようにセレクタ１３が制御される。また、入力符号化データ４が音声符号化データの場合には、Ｇ３ＦＡＸ変調器２２は非変調状態である。そのため、音声復号化器２１の出力が出力音声信号２として出力されるようにセレクタ２３が制御され、音声通信が可能となる。
【００１８】
入力音声信号１が、Ｖ．３４変調方式に対応していない従来のＦＡＸ端末からのＦＡＸ信号の場合には、Ｇ３ＦＡＸ復調器１２が復調状態となり出力符号化データ３の出力としてＧ３ＦＡＸ復調器１２の出力を出力符号化データとするようにセレクタ１３が制御される。また、入力符号化データ４がＧ３ＦＡＸ復調データの場合には、Ｇ３ＦＡＸ変調器２２は変調状態となるため、Ｇ３ＦＡＸ変調器２２の出力が出力音声信号２として出力されるようにセレクタ２３が制御され、ＦＡＸ通信が可能となる。
【００１９】
一方、入力音声信号１が、Ｖ．３４変調方式に対応したＦＡＸ端末からのＦＡＸ信号の場合には、先ず応答端末からのＡＮＳａｍ信号の入力中はＡＮＳａｍ信号検出器１０が検出状態となる。また、このＡＮＳａｍ信号はトーン信号であるため、Ｇ３ＦＡＸ復調器１２は、非復調状態となり音声符号化器１１により符号化され、出力符号化データとして出力される。復号化側も同様に、音声復号化器２１により復号化され、出力音声信号２として出力される。
【００２０】
このＡＮＳａｍ信号を受信した発呼端末は、相手端末がＶ．３４変調方式に対応したＦＡＸ端末であることを認識し、ＣＭ信号で応答してくる。このＣＭ信号はＶ．２１変調信号であるが、Ｇ３ＦＡＸ復調器１２では復調できない変調信号であるため、音声符号化器１１で符号化され伝送される。しかし、ＡＮＳａｍ信号を受信した側の音声復号化器２１は、ＡＮＳａｍ信号検出器１０によりミュートされるため、応答端末には出力されない。よって、応答端末は、相手端末がＶ．３４変調方式に対応していない従来端末と認識し、それ以降の通信を従来の通信手順で実行することになるため、上述の通りＦＡＸ通信が可能となる。
【００２１】
この時の通信手順を図２に示す。図２中には、送信ＦＡＸ端末、受信ＦＡＸ端末およびこれら送信／受信ＦＡＸ端末に対応する音声ＣＯＤＥＣを含み、図８と対応する通信手順を示す。
【００２２】
【発明の他の実施の形態】
次に、本発明によるＦＡＸ対応音声ＣＯＤＥＣの他の実施形態例を説明する。図３は、本発明によるＦＡＸ対応音声ＣＯＤＥＣの第２実施形態例の構成を示すブロック図である。尚、対応する構成要素には、同様の参照符号を使用することとする。このＦＡＸ対応音声ＣＯＤＥＣ５ａは、符号化部および復号化部に夫々１対のセレクタを使用する点で、図１に示すＦＡＸ対応音声ＣＯＤＥＣ５と相違する。即ち、符号化部は、ＡＮＳａｍ信号検出器１０、音声符号化器１１、Ｇ３ＦＡＸ復調器１２、ＡＮＳａｍ信号検出器１０の検出結果によりＡＮＳａｍ信号検出器１０の出力又は音声符号化器１１の出力を選択する第１セレクタ１３ａおよびＧ３ＦＡＸ復調器１２により第１セレクタ１３ａの出力又はＧ３ＦＡＸ復調器１２の出力を選択して出力符号化データ３として出力する第２セレクタ１３ｂを有する。一方、復号化部は、音声復号化器２１、Ｇ３ＦＡＸ変調器２２、ＣＥＤ信号発生器２４、このＣＥＤ信号発生器２４からの制御によりＣＥＤ信号発生器２４又は音声復号化器２１の出力を選択する第３セレクタ２３ａおよびＧ３ＦＡＸ変調器２２により第３セレクタ２３ａの出力又はＧ３ＦＡＸ変調器２２の出力を選択して出力音声信号２として出力する第４セレクタ２３ｂを有している。
【００２３】
ここで、ＡＮＳａｍ信号検出器１０は、Ｖ．３４変調方式に対応した端末を識別するためのＡＮＳａｍ信号を検出する機能を有する。音声符号化器１１は、１６ｋｂｐｓ又は８ｋｂｐｓの音声符号化器であり、例えば１６ｋＬＤ−ＣＥＬＰおよび８ｋＣＳ−ＡＣＥＬＰ等である。Ｇ３ＦＡＸ復調器１２は、ＩＴＵ−Ｔ  Ｔ．３０勧告に準拠されたモデム信号を復調する復調器である。第１セレクタ１３ａは、ＡＮＳａｍ信号検出器１０により制御され、ＡＮＳａｍ信号検出器１０が入力音声信号１よりＡＮＳａｍ信号を検出した場合に、音声符号化器１１が出力する符号化データに検出情報を多重化する動作をする。
【００２４】
第２セレクタ１３ｂは、Ｇ３ＦＡＸ復調器１２により制御され、入力音声信号１がＧ３ＦＡＸ信号の場合には、Ｇ３ＦＡＸ復調器１２の出力を、それ以外の場合には第１セレクタ１３ａの出力を選択し、出力符号化データ３として出力する。
【００２５】
ＣＥＤ信号発生器２４は、ＩＴＵ−Ｔ  Ｔ．３０勧告に規定されているＣＥＤ信号を発生する信号発生器である。音声復号化器２１は、１６ｋｂｐｓ又は８ｋｂｐｓの音声復号化器であり、例えば１６ｋＬＤ−ＣＥＬＰおよび８ｋＣＳ−ＡＣＥＬＰ等である。Ｇ３ＦＡＸ変調器２２は、ＩＴＵ−Ｔ  Ｔ．３０勧告に準拠されたモデム信号を変調する変調器である。第３セレクタ２３ａは、ＣＥＤ信号発生器２４により制御され、入力符号化データ４にＡＮＳａｍ信号検出情報が多重されている場合にはＣＥＤ信号発生器２４の出力を、それ以外の場合には音声復号化器２１の出力を選択する。第４セレクタ２３ｂは、Ｇ３ＦＡＸ変調器２２により制御され、入力符号化データ４がＧ３ＦＡＸ復調器１２からのデータの場合にはＧ３ＦＡＸ変調器２２の出力を、それ以外の場合には第３セレクタ２３ａの出力を選択し、出力音声信号２として出力する。
【００２６】
入力音声信号１は、ＡＮＳａｍ信号検出器１０、音声符号化器１１、Ｇ３ＦＡＸ復調器１２に入力される。入力音声信号１が音声信号の場合には、ＡＮＳａｍ信号検出器１０は非検出状態であり、第１セレクタ１３ａは音声符号化器１１から出力される符号化データに非検出情報を多重化する。Ｇ３ＦＡＸ復調器１２も非復調状態であるため、第１セレクタ１３ａの出力が出力符号化データ３として出力されるように第１セレクタ１３ａが制御される。また、入力符号化データ４が音声符号化データの場合には、ＣＥＤ信号発生器２４は音声復号化器２１の出力を選択するように第３セレクタ２３ａを制御する。また、Ｇ３ＦＡＸ変調器２２は非変調状態であるため、第３セレクタ２３ａの出力が出力音声信号２として出力されるように第４セレクタ２３ｂが制御され、音声通信が可能となる。
【００２７】
入力音声信号１が、Ｖ．３４変調方式に対応していない従来のＦＡＸ端末からのＦＡＸ信号の場合には、Ｇ３ＦＡＸ復調器１２が復調状態となり、出力符号化データ３の出力としてＧ３ＦＡＸ復調器１２の出力を出力符号化データとするように第２セレクタ１３ｂが制御される。また、入力符号化データ４がＧ３ＦＡＸ復調データの場合には、Ｇ３ＦＡＸ変調器２２は変調状態となるため、Ｇ３ＦＡＸ変調器２２の出力が出力音声信号２として出力されるように第４セレクタ２３ｂが制御され、ＦＡＸ通信が可能となる。
【００２８】
一方、入力音声信号１が、Ｖ．３４変調方式に対応したＦＡＸ端末からのＦＡＸ信号の場合には、先ず応答端末からのＡＮＳａｍ信号の入力中はＡＮＳａｍ検出器１０が検出状態となり、音声符号化器１１の符号化データに検出情報を多重化するように第１セレクタ１３ａを制御する。また、このＡＮＳａｍ信号はトーン信号であり、Ｇ３ＦＡＸ復調器１２は非復調状態のため、第１セレクタ１３ａの出力が、出力符号化データ３として出力される。一方、復号化部は、入力符号化データ４に多重された検出情報により、ＣＥＤ信号発生器２４はＣＥＤ信号発生器２４の出力を選択するように第３セレクタ２３ａを制御する。また、この時点でＧ３ＦＡＸ変調器２２は非変調状態のため、第３セレクタ２３ａの出力が出力音声信号２として出力される。
【００２９】
このＣＥＤ信号を受信した発呼端末は、相手端末がＶ．３４変調方式に対応したＦＡＸ端末でないと認識するため、ＣＭ信号で応答することなく応答端末からの信号受信状態となる。よって、応答端末は、発呼端末からのＣＭ信号を受信できないため、Ｖ．３４変調方式に対応していない従来端末と認識し、それ以降の通信を従来の通信手順で実行することになり、上述の通りＦＡＸ通信が可能となる。この場合の通信手順を図４に示す。
【００３０】
また、図５は、本発明によるＦＡＸ対応音声ＣＯＤＥＣの第３実施形態例の構成を示すブロック図である。この第３実施形態例のＦＡＸ対応音声ＣＯＤＥＣ５ｂは、図３に示すＦＡＸ対応音声ＣＯＤＥＣ５ａと類似する。相違点は、ＡＮＳａｍ信号検出器１０の出力により符号化部の第１セレクタ１３ａおよび復号化部の音声復号化器２１を制御する点である。従って、その動作は、上述した図１および図３に関する説明から理解可能であるので、詳細説明は省略することとする。
【００３１】
以上、本発明によるＦＡＸ対応音声ＣＯＤＥＣの幾つかの実施形態例の構成および動作を詳述した。しかし、斯かる実施形態例は、本発明の単なる例示に過ぎず、何ら本発明を限定するものではないと理解するべきである。
【００３２】
【発明の効果】
以上の説明から明らかな如く、本発明のＦＡＸ対応音声ＣＯＤＥＣによると、音声符号化器／復号化器の他にＧ３ＦＡＸ復調器／変調器を持ち、ＩＴＵ−Ｔ  Ｔ．３０勧告にある標準手順に従い解析しながらＦＡＸ通信を行う。Ｖ．３４変調方式に対応したＦＡＸ端末同士の通信であっても、従来の通信手順でＦＡＸ通信が行えるという効果がある。その第１の理由は、Ｖ．３４変調方式に対応したＦＡＸ端末の識別信号である応答端末から出力されるＡＮＳａｍ信号を検出し、検出側の音声復号化器をミュートする。これにより、発呼端末が応答端末のＡＮＳａｍ信号を認識し出力するＣＭ信号が応答端末に伝送されないようにすることで、その結果応答端末に対して発呼端末がＶ．３４変調方式に対応していないＦＡＸ端末と認識させることができ、従来手順での通信が可能となるからである。その第２の理由は、Ｖ．３４変調方式に対応したＦＡＸ端末の識別信号である応答端末から出力されるＡＮＳａｍ信号を検出し、その検出情報を音声符号化データに多重化して伝送する。受信側で多重化された情報を分離し、検出状態であればＣＥＤ信号発生器の出力を出力音声信号として出力することで、発呼端末に対して応答端末がＶ．３４変調方式に対応していないＦＡＸ端末と認識させることができ、従来手順での通信が可能となるからである。
【図面の簡単な説明】
【図１】本発明によるＦＡＸ対応音声ＣＯＤＥＣの第１実施形態例の構成を示すブロック図である。
【図２】図１に示すＦＡＸ対応音声ＣＯＤＥＣによるＦＡＸ通信手順を示す図である。
【図３】本発明によるＦＡＸ対応音声ＣＯＤＥＣの第２実施形態例の構成を示すブロック図である。
【図４】図３に示すＦＡＸ対応音声ＣＯＤＥＣによるＦＡＸ通信手順を示す図である。
【図５】本発明によるＦＡＸ対応音声ＣＯＤＥＣの第３実施形態例の構成を示すブロック図である。
【図６】Ｖ．３４変調方式に対応したＦＡＸ端末の通信手順図である。
【図７】従来のＦＡＸ対応音声ＣＯＤＥＣの構成を示すブロック図である。
【図８】図７に示す従来のＦＡＸ対応音声ＣＯＤＥＣによるＦＡＸ通信手順を示す図である。
【符号の説明】
１              入力音声信号
２              出力音声信号
３              出力符号化データ
４              入力符号化データ
５、５a、５ｂ  ＦＡＸ対応音声ＣＯＤＥＣ
１０            ＡＮＳａｍ信号検出器
１１            音声符号化器
１２            Ｇ３ＦＡＸ復調器
１３、２３      セレクタ
２１            音声復号化器
２２            Ｇ３ＦＡＸ変調器
２４            ＣＥＤ信号発生器
【図１】
0003686811.tif 000002
【図２】
0003686811.tif 000003
【図３】
0003686811.tif 000004
【図４】
0003686811.tif 000005
【図５】
0003686811.tif 000006
【図６】
0003686811.tif 000007
【図７】
0003686811.tif 000008
【図８】
0003686811.tif 000009